(57)【要約】【課題】  バヨネット結合によりユニットと電気的接続を行う電子機器における短絡を防止しつつ、多接点化に最適な接続方法を提供すること。【解決手段】  バヨネット結合されるユニット間の電気的な接続であって、電源被供給用の接点を含む複数の接点を有する電源被供給ユニットと、少なくとも電源供給用の接点を有する電源供給ユニットの、バヨネットの結合のための回転に伴い、互いの接点が相対的にスライドし、対応する接点同士が接触する接続構成において、電源被供給ユニットの複数の接点は格子状に配列していて、少なくとも1列は、その列と平行なバヨネットの回転中心を通る軸に対して、バヨネットの結合時に電源供給ユニットの接点が接近してくる方向へオフセットしており、電源被供給用の接点は、最もオフセットの大きい列の最外周に位置している事を特徴とする構成とした。【選択図】  図１
2019184891.tif 000002
【特許請求の範囲】
【請求項１】
バヨネット結合されるユニット間の電気的な接続であって、
電源被供給用の接点を含む複数の接点を有する電源被供給ユニットと、
少なくとも電源供給用の接点を有する電源供給ユニットの、
バヨネットの結合のための回転に伴い、互いの接点が相対的にスライドし、
バヨネットの結合状態で、互いの対応する接点同士が接触する接続構成において、
前記電源被供給ユニットの複数の接点は格子状に配列していて、
少なくとも1列は、その列と平行なバヨネットの回転中心を通る軸に対して、バヨネットの結合時に前記電源供給ユニットの接点が接近してくる方向へオフセットしており、
前記電源被供給用の接点は、最もオフセットの大きい列の最外周に位置している事を特徴とする電子機器。
【請求項２】
少なくとも前記電源供給用の接点と隣り合って配置されている他の接点との間の絶縁部材は、接点の高さと同じか、それ以上である事を特徴とする請求項１に記載の電子機器。
【発明の詳細な説明】
【技術分野】
【０００１】
本発明は、着脱可能なユニットとの接続接点を有する電子機器に関する。
【背景技術】
【０００２】
ある機能ユニットを着脱可能に構成された電子機器においては、そのユニットと電子機器本体との間で電気的な接続を行う必要がある。互いがバヨネット構造により着脱可能に構成されている場合、着脱可能なユニットと電子機器本体とは、回転して結合することになる。このため、互いに設けられた電気的な接続を行うための接点同士は、相対的に移動して接続状態となるようなものが一般的である。
【０００３】
このような構成において、複数の接点を接続させる場合には、接続途中において、最終的な接続相手ではない接点同士が接触する場合が多い。このような場合には、接続途中で接触する接点同士は接触しても問題がないようにしておくか、接続途中で接触すると問題がある接点同士は接触しないようにしておくなどの注意が必要である。たとえば、電源供給用の接点と、他の接点との短絡などは注意が必要である。
【０００４】
そこで、電源供給用の接点と他の接点との短絡を防止するために、以下のような技術が開示されている。たとえば、特許文献１では、電源供給用の接点と他の接点に、接触方向の高さに段差を設けることで、電源に関係する接点と他の接点が短絡しないようにした接点構造が開示されている。
【先行技術文献】
【特許文献】
【０００５】
【特許文献１】特開平２−１０３５２２号公報
【発明の概要】
【発明が解決しようとする課題】
【０００６】
しかしながら、特許文献１に開示された従来技術では、接続部に接触方向の高さの段差を設けるため、段差を設けない通常の場合と比較して、接続部全体の接触方向の寸法が余計に必要になるという問題がある。また、接点高さが各端子で同一にならないため、接点部品の共通化が困難であるという問題もある。さらに、従来開示されている技術では、接点はバヨネット結合するための回転方向一列に配列してあり、多接点化するには不向きであるという問題もあった。
【０００７】
そこで、本発明の目的は、バヨネット結合によりユニットと電気的接続を行う電子機器における短絡を防止しつつ、多接点化に最適な接続方法を提供することである。
【課題を解決するための手段】
【０００８】
上記目的を達成するために、本発明は、バヨネット結合されるユニット間の電気的な接続であって、電源被供給用の接点を含む複数の接点を有する電源被供給ユニットと、少なくとも電源供給用の接点を有する電源供給ユニットの、バヨネットの結合のための回転に伴い、互いの接点が相対的にスライドし、バヨネットの結合状態で、互いの対応する接点同士が接触する接続構成において、前記電源被供給ユニットの複数の接点は格子状に配列していて、少なくとも1列は、その列と平行なバヨネットの回転中心を通る軸に対して、バヨネットの結合時に前記電源供給ユニットの接点が接近してくる方向へオフセットしており、前記電源被供給用の接点は、最もオフセットの大きい列の最外周に位置している事を特徴とする。
【発明の効果】
【０００９】
本発明によれば、バヨネット構造により着脱可能に構成された機能ユニットと電子機器本体との電気的接続を行う接続部の、電源供給用接点と他の接点との短絡を防止しつつ、多接点化への対応が可能な接続方法を提供することができる。
【図面の簡単な説明】
【００１０】
【図１】本体ユニットと通信ユニットをバヨネット結合する際の互いの接点群同士の位置関係の状態遷移を示す図。
【図２】本発明の実施の形態による電子機器（デジタルカメラ）の一構成例を示した外観斜視図。
【図３】本体ユニットのバヨネット結合部を示す外観斜視図。
【図４】バッテリーユニットのバヨネット結合部を示す外観斜視図。
【図５】本体ユニットとバッテリーユニットをバヨネット結合させる際の状態遷移を示す外観斜視図。
【図６】本体ユニットとバッテリーユニットをバヨネット結合する際の互いの接点群同士の位置関係の状態遷移を示す図。
【図７】本発明の実施の形態による電子機器（デジタルカメラ）に通信ユニットを装着した状態を示した外観斜視図。
【図８】通信ユニットのバヨネット結合部を示す外観斜視図。
【図９】本体ユニットと通信ユニットをバヨネット結合させる際の状態遷移を示す外観斜視図。
【発明を実施するための形態】
【００１１】
（実施形態）
以下に、本発明の好ましい実施の形態を、添付の図面に基づいて詳細に説明する。
図２は本発明の実施の形態による電子機器（デジタルカメラ）の一構成例を示した外観斜視図である。
【００１２】
デジタルカメラ１は本体ユニット２とバッテリーユニット３からなり、本体ユニット２の背面にバッテリーユニット３をバヨネット構造により装着できるようになっている。
【００１３】
本体ユニット２の背面には図３に示すとおりバヨネット結合部２１が備えられており、その内側に接点群２２が設けられている。
【００１４】
バッテリーユニット３にも図４に示すとおりバヨネット結合部３１が備えられており、その内側に接点群３２が設けられている。
【００１５】
本体ユニット２側のバヨネット結合部２１には外向きに爪２３が三か所、バッテリーユニット３側のバヨネット結合部３１には内向きに爪３３が三か所設けられている。また、本体ユニット２側のバヨネット結合部２１にはロック部材２４が設けられており、進退可能に、突出側にバネで付勢されている。本体ユニット２とバッテリーユニット３は以下の様に結合される。
【００１６】
まず、図５（ａ）、図５（ｂ）に示すとおり、互いの爪２３、３３が互い違いになるように両者を所定の位相で合わせる。このとき、バッテリーユニット３側の爪３３によってロック部材２４が押し込まれる。続いて、図５（ｃ）の所定の位置まで回転させることで互いの爪２３、３３がかみ合うとともに、ロック部材２４を押し込んでいたバッテリーユニット３側の爪３３がロック部材２４を通過すると、ロック部材２４が突出し、互いが回転しないようにロック状態となる。
【００１７】
次にこのときの両者の接点群同士の接続について説明を行う。本体ユニット２の接点群２２の接点は、突出方向にバネで付勢された進退可能な金属製で先端が半球状の接点で、バッテリーユニット３を本体ユニット２にバヨネット結合させる際に、バッテリーユニット３により押し込まれ、接圧を発生する。一方バッテリーユニット３の接点群３２の接点は平面状の固定された接点である。また、接点群３２の各接点間には接点と同じ高さで、絶縁性の外装部材が存在している。
【００１８】
ここで、本体ユニット２の接点群２２の接点数は、バッテリーユニット３との接続のための接点の他に、後述の通信ユニット４との接続のための接点を含んでいるため、バッテリーユニット３の接点群３２の接点数よりも多くなっている。本体ユニット２とバッテリーユニット３をバヨネット結合する際の回転に伴う、互いの接点群同士の位置関係を図６に示す。
【００１９】
図５（ｂ）の位置で本体ユニット２とバッテリーユニット３を合わせた際の両接点群の位置関係が図６（ａ）の状態である。そこから互いのユニットのロック位置までの回転に伴い、図６（ａ）、図６（ｂ）、図６（ｃ）の順に相対位置が変化し、図６（ｄ）の状態でロックが完了するとともに、接点群同士の接続も完了する。
【００２０】
本体ユニット２側の接点群２２は複数の端子が格子状に配列されており、長辺方向の列は、その列と平行なバヨネット機構の回転中心を通る軸に対して、バヨネット結合時にバッテリーユニット３側の接点群３２が接近してくる方向へオフセットしている。そのうち最もオフセット量の大きい列の最外周にバッテリーユニット３から電源を供給される電源被供給用接点２５が位置している。この接点に対応するバッテリーユニット３側の接点が電源供給用接点３４である。
【００２１】
この位置に電源被供給用の接点を配置してあることで、図６から分かる通り、バッテリーユニット３側の電源供給用接点３４は、本体ユニット２側の電源被供給用接点２５に接続するまでの間、他の接点に触れる事はない。また、他の対応する端子同士の接続が完了した後、最後に電源供給用接点３４と電源被供給用接点２５の接続が行われる。
【００２２】
次に、本体ユニット２とバッテリーユニット３の間に、他のカメラや機器との通信機能を有した通信ユニット４を接続した例について説明を行う。
【００２３】
図７はデジタルカメラ１に通信ユニット４を追加した状態を示した外観斜視図であり、本体ユニット２とバッテリーユニット３の間に通信ユニット４が接続されている。
本体ユニット２と通信ユニット４、通信ユニット４とバッテリーユニット３は、前述のバヨネット機構と同じ機構によってそれぞれ結合している。また、図８に示すとおり、通信ユニット４にも本体ユニット２接続側とバッテリーユニット３接続側のそれぞれのバヨネット結合部４１ａ、４１ｂの内側に接点群４２ａ、４２ｂを有している。
【００２４】
本体ユニット２接続側の接点群４２ａは、図８（ａ）に示すとおり、バッテリーユニット３に設けられたものと同様の、平面上の固定された接点である。ここでも、接点群４２ａの各接点間には接点と同じ高さで、絶縁性の外装部材が存在している。
【００２５】
バッテリーユニット３接続側の接点群４２ｂは、図８（ｂ）に示すとおり、本体ユニット２に設けられたものと同様の、突出方向にバネで付勢された進退可能な金属製で先端が半球状の接点で、バッテリーユニット３を通信ユニット４にバヨネット結合させる際に、バッテリーユニット３により押し込まれ、接圧を発生する。
【００２６】
以下にそれぞれの接点群の接続に関して説明を行う。
【００２７】
まず通信ユニット４とバッテリーユニット３の接続に関して説明を行う。通信ユニット４とバッテリーユニット３の接続に関しては、本体ユニット２とバッテリーユニット３の接続と同様であり、通信ユニット４の接点群４２ｂの配列と被電源供給接点４３の配置に関しては、本体ユニット２の端子群２２と同一である。このため、バッテリーユニット３側の電源供給用接点３４は、通信ユニット４側の電源被供給用接点４３に接続するまでの間、他の接点に触れる事はない。また、他の対応する端子同士の接続が完了した後、最後に電源供給用接点３４と電源被供給用接点４３の接続が行われる。
【００２８】
次に、本体ユニット２と通信ユニット４の接続に関して説明を行う。通信ユニット４側の接点群４２ａは、バッテリーユニット３に接続されている接点に加えて通信ユニット４と本体ユニット２間の通信に必要な信号用の接点が追加されているため、バッテリーユニット３の接点群３２に対して接点数が増加している。これにより本体ユニット２の接点群２２と、対応する通信ユニット４の接点群４１ａの接点数は同一になっている。
【００２９】
本体ユニット２と通信ユニット４をバヨネット結合する際の回転に伴う互いの接点群同士の位置関係を図１に示す。
【００３０】
図９は本体ユニット２と、バッテリーユニット３が接続された通信ユニット４を結合させる過程を示す図である。図９（ｂ）の位置で本体ユニット２と通信ユニット４を合わせた際の両接点群の位置関係が図１（ａ）の状態である。そこから互いのユニットのロック位置までの回転に伴い、図１（ａ）、図１（ｂ）、図１（ｃ）の順に相対位置が変化し、図１（ｄ）の状態でロックが完了するとともに、接点群同士の接続も完了する。
【００３１】
接続する接点数が増えても、本体ユニット２の電源被供給用接点２５の位置は前述のとおりであるので、対応する通信ユニット４の電源供給用接点４４は、本体ユニット２の電源被供給用接点２５に接続するまでの間、他の接点に触れる事はない。また、通信ユニット４の接点群４２ａの接点間には、接点と同じ高さで絶縁性の外装部材が存在しているため、電源供給用接点４４と他の接点との間に、本体ユニット２の接点が落ち込んで電源供給用接点４４と他の接点を短絡させてしまう事がない。また、他の対応する接点同士の接続が完了した後、最後に電源供給用接点４４と電源被供給用接点２５の接続が行われる。
【００３２】
ここで、上記実施例では、接点群４２ａの接点間に存在する絶縁性の外装部材の高さは接点と同一であるが、接点の高さよりも高くても同様の効果が得られる。また、上記実施例では、その高さは全ての接点間で同一であるが、電源供給用接点４４と隣り合う接点との間だけ接点と同じかそれ以上になっていれば、その他は低くなっていても同じ効果が得られる。
【００３３】
上記説明した構成によれば、バヨネット構造によって着脱可能に構成されたユニット同士の電気的な接続を行う接続部において、格子状に接点を配列することにより多ピン接続に対応しつつ、電源供給用の接点と他の接点との短絡を防止することができる。さらに、他の接点の接続のタイミングに対して、最後に電源供給用の接点を接続させることができるので、すべての接点の接続が完了するまでは、電源を非供給状態のままにできる。つまり、接続が完了する直前までの他の接点同士の接触についてケアする必要がないため、接点の配置の自由度も高い。
【００３４】
以上、本発明の好ましい実施形態について説明したが、本発明はこれらの実施形態に限定されず、その要旨の範囲内で種々の変形および変更が可能である。
【符号の説明】
【００３５】
２  本体ユニット
３  バッテリーユニット
４  通信ユニット
２２  端子群（本体ユニット）
２５  電源被供給用接点（本体ユニット）
３２  端子群（バッテリーユニット）
３４  電源供給用接点（バッテリーユニット）
４２ｂ  接点群（通信ユニット）
４３  電源被供給用接点（通信ユニット）
４４  電源供給用接点（通信ユニット）
【図１】
2019184891.tif 000003
【図２】
2019184891.tif 000004
【図３】
2019184891.tif 000005
【図４】
2019184891.tif 000006
【図５】
2019184891.tif 000007
【図６】
2019184891.tif 000008
【図７】
2019184891.tif 000009
【図８】
2019184891.tif 000010
【図９】
2019184891.tif 000011